【手続補正書】
【提出日】平成25年12月25日(2013.12.25)
【手続補正１】
【補正対象書類名】明細書
【補正対象項目名】発明の名称
【補正方法】変更
【補正の内容】
【発明の名称】画像表示装置，画像表示方法，画像表示システム
【手続補正２】
【補正対象書類名】明細書
【補正対象項目名】０００１
【補正方法】変更
【補正の内容】
【０００１】
この発明は、電子的な画像信号を画像として表示する画像表示装置，画像表示方法，画像表示システムに関するものである。
【手続補正３】
【補正対象書類名】明細書
【補正対象項目名】００１０
【補正方法】変更
【補正の内容】
【００１０】
本発明は、上述した点に鑑みてなされたものであって、その目的とするところは、撮影記録済みの撮影画像データと予め用意されている複数のテンプレート画像データとに基いて、所定の条件に合致する複数の画像データを選択し、選択した複数の画像データについての画像合成処理を行って疑似的シーンを表わす合成画像データを生成し、これに基く画像を表示させる新たな画像表示形態を実現し、これにより画像の鑑賞形態をより多様化し得る画像表示装置，画像表示方法，画像表示システムを提供することである。
【手続補正４】
【補正対象書類名】明細書
【補正対象項目名】００１１
【補正方法】変更
【補正の内容】
【００１１】
上記目的を達成するために、本発明による画像表示装置は、撮影画像データを蓄積記録する記録部と、上記撮影画像データに付随する画像情報データに含まれる顔画像データを記録する第１の画像データベース部と、テンプレート画像データを記録する第２の画像データベース部と、第１の検索用キーワード情報及び第２の検索用キーワード情報を設定するキーワード抽出部と、上記キーワード抽出部によって設定された上記第１の検索用キーワード情報に基いて上記第１の画像データベース部を検索し、対応する顔画像データを選択する第１検索部と、上記キーワード抽出部によって設定された上記第２の検索用キーワード情報に基いて上記第２の画像データベース部を検索し、対応するテンプレート画像データを選択する第２検索部と、上記顔画像データと上記テンプレート画像データとに基いて画像合成処理を施して合成画像を生成する合成部と、を有する。
【手続補正５】
【補正対象書類名】明細書
【補正対象項目名】００１２
【補正方法】変更
【補正の内容】
【００１２】
また、本発明による画像表示方法は、第１の画像データベース部により記録部に蓄積記録された撮影画像データに付随する画像情報データに含まれる顔画像データを記録し、第２の画像データベース部によりテンプレート画像データを記録し、キーワード抽出部により人物を表わす第１の検索用キーワード情報及び人物の動作を表わす第２の検索用キーワード情報を設定し、第１検索部により上記キーワード抽出部によって設定された上記第１の検索用キーワード情報に基いて上記第１の画像データベース部を検索し対応する顔画像データを選択し、第２検索部により上記キーワード抽出部によって設定された上記第２の検索用キーワード情報に基いて上記第２の画像データベース部を検索し、対応するテンプレート画像データを選択し、合成部により上記顔画像データと上記テンプレート画像データとに基いて画像合成処理を施して合成画像を生成する。
そして、本発明による画像表示システムは、画像を取得するための撮影機能を有する撮像部と、画像を表示するための画像表示機能を有する表示部と、画像データを蓄積記録する記録部と、記録部に蓄積記録された撮影画像データに付随する画像情報データに含まれる顔画像データを記録する第１の画像データベース部と、テンプレート画像データを記録し、第２の画像データベース部と、人物を表わす第１の検索用キーワード情報及び人物の動作を表わす第２の検索用キーワード情報を設定するキーワード抽出部と、上記キーワード抽出部によって設定された上記第１の検索用キーワード情報に基いて上記第１の画像データベース部を検索し、対応する顔画像データを選択する第１検索部と、上記キーワード抽出部によって設定された上記第２の検索用キーワード情報に基いて上記第２の画像データベース部を検索し、対応するテンプレート画像データを選択する第２検索部と、上記顔画像データと上記テンプレート画像データとに基いて画像合成処理を施して合成画像を生成する合成部と、を具備する。
【手続補正６】
【補正対象書類名】明細書
【補正対象項目名】００１３
【補正方法】変更
【補正の内容】
【００１３】
本発明によれば、撮影記録済みの撮影画像データと予め用意されている複数のテンプレート画像データとに基いて、所定の条件に合致する複数の画像データを選択し、選択した複数の画像データについての画像合成処理を行って疑似的シーンを表わす合成画像データを生成し、これに基く画像を表示させる新たな画像表示形態を実現し、これにより画像の鑑賞形態をより多様化し得る画像表示装置，画像表示方法，画像表示システムを提供することができる。
【手続補正７】
【補正対象書類名】特許請求の範囲
【補正対象項目名】全文
【補正方法】変更
【補正の内容】
【特許請求の範囲】
【請求項１】
撮影画像データを蓄積記録する記録部と、
上記撮影画像データに付随する画像情報データに含まれる顔画像データを記録する第１の画像データベース部と、
テンプレート画像データを記録する第２の画像データベース部と、
第１の検索用キーワード情報及び第２の検索用キーワード情報を設定するキーワード抽出部と、
上記キーワード抽出部によって設定された上記第１の検索用キーワード情報に基いて上記第１の画像データベース部を検索し、対応する顔画像データを選択する第１検索部と、
上記キーワード抽出部によって設定された上記第２の検索用キーワード情報に基いて上記第２の画像データベース部を検索し、対応するテンプレート画像データを選択する第２検索部と、
上記顔画像データと上記テンプレート画像データとに基いて画像合成処理を施して合成画像を生成する合成部と、
を有することを特徴とする画像表示装置。
【請求項２】
上記第１の検索用キーワード情報は、人物を表わすキーワード情報であり、  
上記第２の検索用キーワード情報は、人物の動作を表わすキーワード情報であることを特徴とする請求項１に記載の画像表示装置。  
【請求項３】
上記第２検索部は、上記顔画像の年齢情報に基いて、上記テンプレート画像データを選択することを特徴とする請求項２に記載の画像表示装置。  
【請求項４】
音声を集音し音声信号を生成する音声入力部を、さらに具備し、  
上記キーワード抽出部は、上記音声入力部により生成された上記音声信号に基いて上記第１の検索用キーワード情報及び上記第２の検索用キーワード情報を設定することを特徴とする請求項１に記載の画像表示装置。
【請求項５】
第１の画像データベース部により、記録部に蓄積記録された撮影画像データに付随する画像情報データに含まれる顔画像データを記録し、
第２の画像データベース部により、テンプレート画像データを記録し、
キーワード抽出部により、人物を表わす第１の検索用キーワード情報及び人物の動作を表わす第２の検索用キーワード情報を設定し、
第１検索部により、上記キーワード抽出部によって設定された上記第１の検索用キーワード情報に基いて上記第１の画像データベース部を検索し、対応する顔画像データを選択し、
第２検索部により、上記キーワード抽出部によって設定された上記第２の検索用キーワード情報に基いて上記第２の画像データベース部を検索し、対応するテンプレート画像データを選択し、
合成部により、上記顔画像データと上記テンプレート画像データとに基いて画像合成処理を施して合成画像を生成することを特徴とする画像表示方法。
【請求項６】
画像を取得するための撮影機能を有する撮像部と、
画像を表示するための画像表示機能を有する表示部と、
画像データを蓄積記録する記録部と、
記録部に蓄積記録された撮影画像データに付随する画像情報データに含まれる顔画像データを記録する第１の画像データベース部と、
テンプレート画像データを記録し、第２の画像データベース部と、
人物を表わす第１の検索用キーワード情報及び人物の動作を表わす第２の検索用キーワード情報を設定するキーワード抽出部と、
上記キーワード抽出部によって設定された上記第１の検索用キーワード情報に基いて上記第１の画像データベース部を検索し、対応する顔画像データを選択する第１検索部と、
上記キーワード抽出部によって設定された上記第２の検索用キーワード情報に基いて上記第２の画像データベース部を検索し、対応するテンプレート画像データを選択する第２検索部と、
上記顔画像データと上記テンプレート画像データとに基いて画像合成処理を施して合成画像を生成する合成部と、
を具備することを特徴とする画像表示システム。